(57)【特許請求の範囲】
【請求項１】
使用者の下半身側が載せられる下半身側寝台部と、使用者の上半身側が載せられる上半身側寝台部とを含む寝台部を具え、
ベッド側面視において、前記寝台部が略水平となる水平状態と、前記下半身側寝台部と前記上半身側寝台部とが逆Ｖ字状に折り曲げられた折り畳み状態とに変形可能な折畳みベッドであって、
前記寝台部を下側から支えるベッドフレーム枠をさらに具え、
前記下半身側寝台部は、使用者の太腿側が載せられる第１部分と、使用者の脹脛が載せられる第２部分とを含み、
ベッド側面視において、前記下半身側寝台部は、寝台面が水平な基準状態と、前記第１部分と前記第２部分とが上に凸で山折り状となる屈曲状態とに変形可能に連結され、
前記第１部分の前記上半身側寝台部側の端部は、前記ベッドフレーム枠に、ベッド幅方向にのびる水平軸で傾動可能に連結されており、
前記第２部分の前記第１部分に近い側の端部は、前記第１部分に、ベッド幅方向にのびる水平軸で傾動可能に連結され、かつ、前記第２部分の前記第１部分に遠い側の端部は前記ベッドフレーム枠に連結されておらず、
前記ベッドフレーム枠は、前記基準状態において、前記第２部分の前記第１部分寄りの一部分のみを支える支持部と、この支持部よりも下方に位置することにより、前記第２部分の前記屈曲状態を許容する離間部とを含み、
しかも前記屈曲状態において、前記第２部分の一部は、前記基準状態の前記寝台面よりも下方に位置することを特徴とする折畳みベッド。
【請求項２】
前記離間部は、前記支持部から下に向かって斜めにのびている請求項１記載の折畳みベッド。
【請求項３】
前記第２部分は、前記屈曲状態の最大変化位置において、前記離間部に接触する請求項１又は２記載の折畳みベッド。
【請求項４】
前記下半身側寝台部を前記基準状態又は前記屈曲状態に変化させる駆動手段をさらに具える請求項１乃至３のいずれかに記載の折畳みベッド。
【請求項５】
前記駆動手段は、一端が前記ベッドフレーム枠に連結されかつ他端が前記第２部分に連結されたアクチュエータを含み、
前記アクチュエータは、前記第２部分の使用者の足先側の端部を、下方かつ前記第１部分側に移動させることにより、前記下半身側寝台部を前記屈曲状態に変形させる請求項４記載の折畳みベッド。
【請求項６】
前記駆動手段は、前記第１部分と前記第２部分との連結部に設けられたラチエット式の固定具である請求項４記載の折畳みベッド。
【発明の詳細な説明】
【技術分野】
【０００１】
本発明は、使用者が横たわることができる寝台部を含む折畳みベッドに関する。
【背景技術】
【０００２】
従来、使用者の上半身側が載せられる上半身側寝台部と、使用者の下半身側が載せられる下半身側寝台部とを含む寝台部を具えた折畳みベッドが提案されている（例えば、下記特許文献１参照）。この折畳みベッドの下半身側寝台部は、使用者の太腿側が載る部分と、使用者の脹脛が載る部分とが折り曲げ可能に連結されている。従って、折畳みベッドの下半身側寝台部は、ベッド側面視において、その寝台面が水平な基準状態と、上に凸の山折り状となる屈曲状態とで変形可能に構成されている。このため、寝台部上の使用者は、上記屈曲状態では、下半身側寝台部の山折り形状に自らの足を沿わせてもたせかけることができる。
【先行技術文献】
【特許文献】
【０００３】
【特許文献１】特開２００５−１２４６５１号公報
【発明の概要】
【発明が解決しようとする課題】
【０００４】
特許文献１において、使用者の脹脛が載る部分は、基準状態の寝台面よりも常に上方に位置している。このため、下半身側寝台部が屈曲状態とされたとき、寝台部上の使用者は、下半身側寝台部に持ち上げられた脚部、とりわけ脹脛の上昇によって腹部等が圧迫されるという傾向があった。
【０００５】
本発明は、以上のような実状に鑑み案出されたもので、下半身側寝台部が屈曲状態とされたときでも、腹部等の圧迫がなく快適な使用感を得ることができる折畳みベッドを提供することを主たる目的としている。
【課題を解決するための手段】
【０００６】
本発明は、使用者の下半身側が載せられる下半身側寝台部と、使用者の上半身側が載せられる上半身側寝台部とを含む寝台部を具え、ベッド側面視において、前記寝台部が略水平となる水平状態と、前記下半身側寝台部と前記上半身側寝台部とが逆Ｖ字状に折り曲げられた折り畳み状態とに変形可能な折畳みベッドであって、前記下半身側寝台部は、使用者の太腿側が載せられる第１部分と、前記使用者の脹脛が載せられる第２部分とを含み、ベッド側面視において、前記下半身側寝台部は、寝台面が水平な基準状態と、前記第１部分と前記第２部分とが上に凸で山折り状となる屈曲状態とに変形可能に連結され、しかも前記屈曲状態において、前記第２部分の一部は、前記基準状態の前記寝台面よりも下方に位置することを特徴とする。
【０００７】
本発明に係る前記折畳みベッドにおいて、前記寝台部を下側から支えるベッドフレーム枠をさらに具え、前記第１部分の前記上半身側寝台部側の端部は、前記ベッドフレーム枠に、ベッド幅方向にのびる水平軸で傾動可能に連結されており、前記第２部分の前記第１部分に近い側の端部は、前記第１部分に、ベッド幅方向にのびる水平軸で傾動可能に連結され、かつ、前記第２部分の前記第１部分に遠い側の端部は前記ベッドフレーム枠に連結されておらず、前記ベッドフレーム枠は、前記基準状態において、前記第２部分の前記第１部分寄りの一部分のみを支える支持部と、この支持部よりも下方に位置することにより、前記第２部分の前記屈曲状態を許容する離間部とを含むのが望ましい。
【０００８】
本発明に係る前記折畳みベッドにおいて、前記離間部は、前記支持部から下に向かって斜めにのびているのが望ましい。
【０００９】
本発明に係る前記折畳みベッドにおいて、前記第２部分は、前記屈曲状態の最大変化位置において、前記離間部に接触するのが望ましい。
【００１０】
本発明に係る前記折畳みベッドにおいて、前記下半身側寝台部を前記基準状態又は前記屈曲状態に変化させる駆動手段をさらに具えるのが望ましい。
【００１１】
本発明に係る前記折畳みベッドにおいて、前記駆動手段は、一端が前記ベッドフレーム枠に連結されかつ他端が前記第２部分に連結されたアクチュエータを含み、前記アクチュエータは、前記第２部分の使用者の足先側の端部を、下方かつ前記第１部分側に移動させることにより、前記下半身寝台部を前記屈曲状態に変形させるのが望ましい。また、本発明に係る前記折畳みベッドにおいて、前記駆動手段は、前記第１部分と前記第２部分との連結部に設けられたラチエット式の固定具であるのが望ましい。
【００１２】
本発明は、使用者の下半身側が載せられる下半身側寝台部と、使用者の上半身側が載せられる上半身側寝台部とを含む寝台部を具え、ベッド側面視において、前記寝台部が略水平となる水平状態と、前記下半身側寝台部と前記上半身側寝台部とが逆Ｖ字状に折り曲げられた折り畳み状態とに変形可能な折畳みベッドであって、前記寝台部を下側から支えるベッドフレーム枠、及び、前記ベッドフレーム枠に連結された駆動手段をさらに具え、 前記下半身側寝台部は、使用者の太腿側が載せられる第１部分と、前記使用者の脹脛が載せられる第２部分とを含み、前記第１部分の前記上半身側寝台部側の端部は、前記ベッドフレーム枠に、ベッド幅方向にのびる水平軸で傾動可能に連結され、前記第２部分の前記第１部分に近い側の端部は、前記第１部分に、ベッド幅方向にのびる水平軸で傾動可能に連結され、前記第２部分の前記第１部分に遠い側の端部は前記ベッドフレーム枠に連結されておらず、前記駆動手段は、一端が前記ベッドフレーム枠に連結されかつ他端が前記第２部分に連結されたアクチュエータを含み、前記下半身側寝台部の寝台面が水平な基準状態において、前記アクチュエータは、前記第２部分の前記第１部分に遠い側の端部を、下方かつ前記第１部分側に移動させることにより、前記第２部分の一部を、前記基準状態の前記寝台面よりも下方に位置させて、前記下半身側寝台部を、前記第１部分と前記第２部分とが上に凸で山折り状となる屈曲状態に変形させることを特徴とする。また、本発明に係る前記折畳みベッドにおいて、前記ベッドフレーム枠は、前記基準状態において、前記第２部分の前記第１部分寄りの一部分のみを支える支持部と、この支持部よりも下方に位置することにより、前記第２部分の前記屈曲状態を許容する離間部とを含むのが望ましい。また、本発明に係る前記折畳みベッドにおいて、前記第２部分は、前記屈曲状態の最大変化位置において、前記離間部に接触するのが望ましい。

【発明の効果】
【００１３】
本発明の折畳みベッドは、使用者の下半身側が載せられる下半身側寝台部と、使用者の上半身側が載せられる上半身側寝台部とを含む寝台部を具えている。ベッド側面視において、寝台部が略水平となる水平状態と、下半身側寝台部と上半身側寝台部とが逆Ｖ字状に折り曲げられた折り畳み状態とに変形可能である。
【００１４】
下半身側寝台部は、使用者の太腿側が載せられる第１部分と、使用者の脹脛が載せられる第２部分とを含んでいる。ベッド側面視において、下半身側寝台部は、寝台面が水平な基準状態と、第１部分と第２部分とが上に凸で山折り状となる屈曲状態とに変形可能に連結されている。このため、寝台部上の使用者は、屈曲状態において、下半身側寝台部の山折り形状に自らの足を沿わせて、もたせかけることができる。
【００１５】
しかも、本発明の折畳みベッドは、屈曲状態において、第２部分の一部が、基準状態の寝台面よりも下方に位置する。このため、下半身側寝台部によって足が持ち上げられた場合でも、脹脛を従来よりも下方に位置させることができる。従って、本発明の折畳みベッドは、屈曲状態において、従来のベッドに比べて腹部等の圧迫を軽減して、快適な使用感が得られる。
【図面の簡単な説明】
【００１６】
【図１】本実施形態の折畳みベッドの斜視図である。
【図２】図１のベッドの水平状態の側面図である。
【図３】図１のベッドの折り畳み状態の側面図である。
【図４】ベッドフレーム枠の平面図である。
【図５】寝台部の平面図である。
【図６】屈曲状態及びリクライニング状態に変形されたベッドの側面図である。
【図７】（ａ）は、上半身側寝台部の基準状態のリンクの側面図、（ｂ）は、第３部分と第４部分との段差が形成されたリンクの側面図である。
【図８】（ａ）は、下半身側寝台部の基準状態の駆動手段の拡大図、（ｂ）は、下半身側寝台部の屈曲状態の駆動手段の拡大図である。
【図９】本実施形態のリクライニング手段の部分斜視図である。
【図１０】（ａ）は、上半身側寝台部の基準状態のリクライニング手段の拡大図、（ｂ）は、上半身側寝台部の屈曲状態リクライニング手段の側面図である。
【図１１】第２アクチュエータのロッドの収縮時に、傾動アームの回動が許容された状態を示す側面図である。
【発明を実施するための形態】
【００１７】
以下、本発明の実施の一形態が図面に基づき説明される。
図１は、本実施形態の折畳みベッド（以下、単に「ベッド」ということがある）の斜視図である。図２は、図１のベッドの水平状態の側面図である。図３は、図１のベッドの折り畳み状態の側面図である。図１、図２及び図３に示されるように、ベッド１は、寝台部２を具えている。寝台部２は、使用者の下半身側が載せられる下半身側寝台部３と、使用者の上半身側が載せられる上半身側寝台部４とを含んでいる。
【００１８】
図１に示されるように、ベッド１は、寝台部２の一端側Ｓ１に、宮板５が設けられている。使用者は、通常、寝台部２の宮板５側を頭部として利用するのが一般的である。従って、上半身側寝台部４は、寝台部２の宮板５側（一端側Ｓ１）に配置されている。また、下半身側寝台部３は、寝台部２の他端側Ｂ２に配置されている。
【００１９】
下半身側寝台部３及び上半身側寝台部４には、ウレタンフォーム等のクッション材１５が設けられている。本実施形態のクッション材１５は、下半身側寝台部３から上半身側寝台部４にかけて連続している。また、図２に示されるように、一端側Ｓ１のクッション材１５は、上半身側寝台部４の枠体５３ｃ、５３ｄに固定されている。他方、他端側Ｂ２のクッション材１５は、下半身側寝台部３の枠体５３ａ、５３ｂの上面に位置ずれ可能に載置されている。
【００２０】
ベッド１は、寝台部２が略水平となる水平状態（図２に示す）と、下半身側寝台部３と上半身側寝台部４とが逆Ｖ字状に折り曲げられた折り畳み状態（図３に示す）とに変形可能に形成されている。なお、本明細書において、特に指定されていない場合は、水平状態において説明されるものとする。また、理解しやすいように、ベッド長手方向がＸ、ベッド幅方向がＹ、ベッド高さ方向がＺとして、それぞれ定義される。
【００２１】
上述したように、他端側Ｂ２のクッション材１５は、下半身側寝台部３の枠体５３ａ、５３ｂの上面に位置ずれ可能に載置されている。このため、図３に示した折り畳み状態において、他端側Ｂ２のクッション材１５が下半身側寝台部３の枠体５３ａ、５３ｂに沿って上方に位置ずれすることにより、折り畳み状態での一端側Ｓ１から他端側Ｓ２までの寝台部２の長さと、水平状態での一端側Ｓ１から他端側Ｓ２までの寝台部２の長さとの差を吸収することができる。
【００２２】
図１に示されるように、寝台部２は、ベッドフレーム枠６に載置されている。本実施形態のベッドフレーム枠６は、下半身側寝台部３が載置される下半身側フレーム枠７、上半身側寝台部４が載置される上半身側フレーム枠８、及び、下半身側フレーム枠７と上半身側フレーム枠８とを連結する連結フレーム９を含んでいる。図４は、ベッドフレーム枠６の平面図である。
【００２３】
下半身側フレーム枠７は、支持部７Ａと、離間部７Ｂとを含んで構成されている。
【００２４】
支持部７Ａは、一対の主枠１０、１０と、第１補強材１１とを含んでいる。一対の主枠１０、１０は、ベッド幅方向Ｙの両側を、ベッド長手方向Ｘに沿って水平にのびている。第１補強材１１は、主枠１０、１０の一端側Ｓ１の間を、ベッド幅方向Ｙに沿ってのびている。
【００２５】
図１に示されるように、離間部７Ｂは、一対の傾斜枠１６、１６と、第２補強材１２と、第４補強材１７とを含んでいる。図２に示されるように、各傾斜枠１６、１６は、支持部７Ａの一対の主枠１０、１０の他端側Ｓ２の端部から下に向かって斜めにのびている。一対の傾斜枠１６、１６の他端側Ｓ２には、ベッド幅方向Ｙにのびる水平軸ｃ２が設けられている。この水平軸ｃ２に、下半身側脚部材２１が回動可能に支持されている。
【００２６】
図４に示されるように、第２補強材１２は、一対の傾斜枠１６、１６の一端側Ｓ１の両端部間を、ベッド幅方向Ｙに沿ってのびている。図１に示されるように、第２補強材１２には、下方に向かって突出する垂下部１４が設けられている。垂下部１４の一端側Ｓ１には、Ｌ字状の入隅が形成されている。この入隅に、第２補強材１２が嵌め込まれ、垂下部１４と第２補強材１２とが溶接されている。また、垂下部１４には、ベッド幅方向Ｙにのびる水平軸ｃ１（図２に示す）が設けられている。
【００２７】
図４に示されるように、第４補強材１７は、一対の第１片１７ａ、１７ａと、第２片１７ｂとを含んでいる。図１に示されるように、各第１片１７ａ、１７ａは、一対の傾斜枠１６、１６のベッド幅方向Ｙの内側において、第２補強材１２から下に向かって斜めにのびている。第２片１７ｂは、一対の第１片１７ａ、１７ａの他端側Ｓ２の端部を、ベッド幅方向Ｙにのびている。図４に示されるように、第４補強材１７は、平面視略コ字状に形成されている。
【００２８】
図１に示されるように、本実施形態の一対の第１片１７ａ、１７ａは、一対の傾斜枠１６、１６に沿って傾斜している。図４に示されるように、本実施形態の一対の第１片１７ａ、１７ａは、各傾斜枠１６、１６の他端側Ｓ２の端部よりも他端側Ｓ２へ突出している。第２片１７ｂの他端側Ｓ２には、支持板１９が固定されている。
【００２９】
図２に示されるように、支持板１９は、下片１９ａと、上片１９ｂとを含んでいる。下片１９ａは、第４補強材１７の第２片１７ｂ（図４に示す）から他端側Ｓ２に向かって、上方に傾斜してのびている。本実施形態の下片１９ａは、ベッド側面視において、第４補強材１７の第１片１７ａに対して直交している。上片１９ｂは、下片１９ａの上端からベッド高さ方向Ｚに沿って垂直にのびている。
【００３０】
下半身側脚部材２１は、第１脚フレーム２２、一対の第２脚フレーム２３、２３及び、車輪２４を含んで構成されている。図１に示されるように、第１脚フレーム２２は、一対の第１片２２ａ、２２ａと、第２片２２ｂとを含んでいる。一対の第１片２２ａ、２２ａは、ベッド幅方向Ｙの両側において、ベッド長手方向Ｘに沿って水平にのびている。第２片２２ｂは、一対の第１片２２ａ、２２ａの他端側Ｓ２の端部間を、ベッド幅方向Ｙにのびている。これにより、第１脚フレーム２２は、平面視略コ字状に形成されている。各第１片２２ａ、２２ａには、一つの車輪２４が設けられている。第２片２２ｂには、一対の車輪２４、２４が、ベッド幅方向Ｙに離間して配置されている。
【００３１】
一対の第２脚フレーム２３、２３は、第１脚フレーム２２の一対の第１片２２ａ、２２ａからベッド高さ方向Ｚに沿って上方にそれぞれのびている。一対の第２脚フレーム２３、２３の上端は、離間部７Ｂの水平軸ｃ２（図２に示す）に回動可能に支持されている。
【００３２】
図４に示されるように、上半身側フレーム枠８は、例えば、主枠３０と、第１補強材３１と、一対の第２補強材３２、３２と、一対の第３補強材３３、３３と、一対の第４補強材３４、３４を含んで構成されている。主枠３０は、一対の第１枠３０ａ、３０ａと、第２枠３０ｂとを含んでいる。一対の第１枠３０ａ、３０ａは、ベッド幅方向Ｙの両側で、ベッド長手方向Ｘに沿ってそれぞれのびている。第２枠３０ｂは、一対の第１枠３０ａ、３０ａの一端側Ｓ１の端部間を、ベッド幅方向Ｙにのびている。これにより、主枠３０は、平面視において、略コ字状に形成されている。
【００３３】
第１補強材３１は、一対の第１片３１ａ、３１ａと、第２片３１ｂとを含んでいる。一対の第１片３１ａ、３１ａは、主枠３０の各第１枠３０ａの他端側Ｓ２からベッド幅方向Ｙの内側に向かって、他端側Ｓ２に傾斜してのびている。第２片３１ｂは、一対の第１片３１ａ、３１ａの端部間を、ベッド幅方向Ｙに沿ってのびている。これにより、第１補強材３１は、平面視において、他端側Ｓ２に凸となる台形状に形成される。
【００３４】
一対の第２補強材３２、３２は、主枠３０の第２枠３０ｂと第１補強材３１の第２片３１ｂとの間を、ベッド長手方向Ｘにのびている。一対の第３補強材３３、３３は、各第２補強材３２、３２の一端側Ｓ１において、第２補強材３２、３２と主枠３０の各第１枠３０ａ、３０ａとの間を、ベッド幅方向Ｙにそれぞれのびている。
【００３５】
各第３補強材３３、３３には、下方（ベッド高さ方向Ｚ）にのびる垂下部３６（図２に示す）がそれぞれ形成されている。図２に示されるように、垂下部３６は、ベッド幅方向Ｙにのびる水平軸ｃ３が設けられている。この水平軸ｃ３に、上半身側脚部材４１が回動可能に支持されている。
【００３６】
図４に示されるように、一対の第４補強材３４、３４は、上半身側フレーム枠８のベッド長手方向Ｘの中央部において、一対の第２補強材３２、３２間を、ベッド幅方向Ｙに沿ってのびている。図１及び図４に示されるように、一対の第４補強材３４、３４は、各第２補強材３２、３２のベッド幅方向Ｙの外側面から下方にのびる一対の垂下部３４ａ、３４ａと、一対の垂下部３４ａ、３４ａ間をベッド幅方向Ｙにのびる連結部３４ｂとを含み、略コ字状に形成されている。このような第４補強材３４、３４は、上半身側フレーム枠８のベッド長手方向Ｘの中央部を効果的に補強しうる。また、一対の第４補強材３４、３４間には、該第４補強材３４、３４間をベッド長手方向Ｘに連結する連結部３５が設けられている。
【００３７】
図１に示されるように、上半身側脚部材４１は、下半身側脚部材２１と同様に、第１脚フレーム４２、一対の第２脚フレーム４３、４３、及び、車輪４４を含んで構成されている。図２に示されるように、一対の第２脚フレーム４３、４３の上端は、上半身側フレーム枠８の垂下部３６の水平軸ｃ３に回動可能に支持されている。図４に示されるように、上半身側脚部材４１の第１脚フレーム４２のベッド幅方向Ｙの長さは、下半身側脚部材２１の第１脚フレーム２２のベッド幅方向Ｙの長さよりも小に形成されている。これにより、図３に示されるように、ベッド１の折り畳み状態で接近する上半身側脚部材４１と下半身側脚部材２１とが、互いに接触するのを防ぎうる。
【００３８】
図４に示されるように、連結フレーム９は、一対の連結部４６、４６と、第１継ぎ材４７ａと、一対の第２継ぎ材４７ｂ、４７ｂ（図９に示す）と、一対の脚部材４８、４８とを含んで構成されている。各連結部４６、４６は、一対の側片４６ａ、４６ａと、一対の側片４６ａ、４６ａの上端を継ぐ上片４６ｂと、一対の側片４６ａ、４６ａの下端を継ぐ下片（図示省略）とを含んで構成されている。
【００３９】
図２に示されるように、一対の側片４６ａ、４６ａの一端側Ｓ１は、上半身側フレーム枠８の第１枠３０ａの端部と、ベッド幅方向Ｙにのびる水平軸ｃ４を支点として、回動可能にそれぞれ連結されている。一対の側片４６ａ、４６ａの他端側Ｓ２は、下半身側フレーム枠７の主枠１０の端部と、ベッド幅方向Ｙにのびる水平軸ｃ５を支点として、回動可能にそれぞれ連結されている。図４に示されるように、第１継ぎ材４７ａは、各連結部４６、４６のベッド幅方向Ｙの内側に配置される側片４６ａ、４６ａ間を、ベッド幅方向Ｙに沿ってのびている。図９に示されるように、一対の第２継ぎ材４７ｂ、４７ｂは、側片４６ａと各脚部材４８、４８との間を、ベッド幅方向Ｙに沿ってのびている。
【００４０】
図１に示されるように、一対の脚部材４８、４８は、主部５１と補強部５２とを含んで構成されている。主部５１は、第１継ぎ材４７ａから床面まで垂直にのびている。補強部５２は、主部５１よりもベッド幅方向Ｙの内側で、第１継ぎ材４７ａから下方にのびる第１補強片５２ａと、第１補強片５２ａの下端からベッド幅方向Ｙの外側にのび、かつ、主部５１に連結される第２補強片５２ｂとを含んで構成されている。これにより、補強部５２は、略Ｌ字状に形成されている。
【００４１】
このような連結フレーム９により、下半身側フレーム枠７と、上半身側フレーム枠８とが、水平状態（図２に示す）と折り畳み状態（図３に示す）との間で変形可能に連結される。下半身側脚部材２１及び上半身側脚部材４１は、下半身側フレーム枠７及び上半身側フレーム枠８を、水平状態（図２に示す）と折り畳み状態（図３に示す）との間で変形させる際に、各車輪２４、４４が床面を走行する。そして、下半身側脚部材２１の各第２脚フレーム２３、２３、及び、上半身側脚部材４１の各第２脚フレーム４３、４３が、水平軸ｃ２及び水平軸ｃ３を支点として傾動する。これにより、下半身側フレーム枠７と上半身側フレーム枠８との変形がスムーズに行われる。
【００４２】
図２に示したベッド１の水平状態において、連結フレーム９の一対の脚部材４８、４８の下端は、床面に当接している。これにより、下半身側フレーム枠７と上半身側フレーム枠８とのＶ字状の折り曲げが阻止される。
【００４３】
ベッドフレーム枠６には、例えば、連結フレーム９と上半身側フレーム枠８との間、及び、連結フレーム９と下半身側フレーム枠７との間に、それぞれ引張バネ（図示省略）が設けられてもよい。このような引張バネにより、ベッド１を折り畳み状態に変形する際に要する力が軽減されうる。
【００４４】
図５は、寝台部２の平面図である。下半身側寝台部３は、使用者の太腿側が載せられる第１部分３Ａと、使用者の脹脛が載せられる第２部分３Ｂとを含んで構成されている。
【００４５】
第１部分３Ａは、例えば、枠体５３ａと、クッション材１５とを含んで構成されている。本実施形態の枠体５３ａは、第１枠５６と、第２枠５７とを含み、平面視横長矩形状に形成されている。第１枠５６は、ベッド幅方向Ｙの両側で、ベッド長手方向Ｘにのびる一対の第１片５６ａ、５６ａと、第１片５６ａ、５６ａの一端側Ｓ１の端部をベッド幅方向Ｙにのびる第２片５６ｂとを含んでいる。これにより、第１枠５６は、平面視略コ字状に形成されている。第２枠５７は、一対の第１片５６ａ、５６ａの他端側Ｓ２の端部間を、ベッド幅方向Ｙにのびている。また、枠体５３ａには、クッション材１５を支持するための支持材（図示省略）が設けられている。第１枠５６の一端側Ｓ１には、下方にのびる連結片３７が設けられている。連結片３７には、ベッド幅方向Ｙにのびる第１水平軸ａ１が設けられている。
【００４６】
第２部分３Ｂは、第１部分３Ａと同様に、枠体５３ｂと、クッション材１５とを含んで構成されている。枠体５３ｂは、第１枠５８と、第２枠５９と、第３枠６０とを含み、平面視矩形状に形成されている。第１枠５８は、一対の第１片５８ａ、５８ａと、第２片５８ｂとを含み、平面視略コ字状に形成されている。第２枠５９は、一対の第１片５９ａ、５９ａの一端側Ｓ１の端部間を、ベッド幅方向Ｙに沿ってのびている。第３枠６０は、第２部分３Ｂのベッド幅方向Ｙの中央部において、第１枠５８の第２片５８ｂと、第２枠５９との間を、ベッド長手方向Ｘに沿ってのびている。
【００４７】
図２及び図５に示されるように、第１枠５８の第２片５８ｂと第３枠６０とが交わる位置には、下方に向かって他端側Ｓ２に傾斜してのびる一対の垂下片６１、６１が設けられている。一対の垂下片６１、６１には、ベッド幅方向Ｙにのびる水平軸ｃ６（図２に示す）が設けられている。水平軸ｃ６は、下半身側フレーム枠７の垂下部１４に設けられる水平軸ｃ１よりも、ベッド高さ方向Ｚの上方に設けられている。枠体５３ｂには、クッション材１５を支持するための支持材（図示省略）が設けられている。
【００４８】
図２に示されるように、本実施形態の第１部分３Ａの上半身側寝台部４側（即ち、一端側Ｓ１）の端部が、ベッドフレーム枠６の下半身側フレーム枠７の主枠１０に、連結片３７の第１水平軸ａ１で、傾動可能に連結されている。また、第２部分３Ｂの第１部分３Ａに近い側（即ち、一端側Ｓ１）の端部は、第１部分３Ａの第１枠５６（図５に示す）に、ベッド幅方向にのびる第２水平軸ａ２で、傾動可能に連結されている。なお、第２部分３Ｂの第１部分３Ａに遠い側（即ち、他端側Ｓ２）の端部は、ベッドフレーム枠６に連結されてない。
【００４９】
図６は、屈曲状態及びリクライニング状態に変形されたベッドの側面図である。下半身側寝台部３は、ベッド側面視において、その寝台面３Ｓが水平な基準状態（図２に示す）と、第１部分３Ａと第２部分３Ｂとが上に凸で山折り状となる屈曲状態（図６に示す）とに変形可能に連結される。本実施形態の下半身側寝台部３は、後述する駆動手段６３（図８に示す）によって、基準状態又は屈曲状態に変化される。
【００５０】
図２に示した基準状態において、第２部分３Ｂの第１部分３Ａ寄り（即ち、一端側Ｓ１）の一部分は、下半身側フレーム枠７の支持部７Ａに支えられる。また、下半身側フレーム枠７の離間部７Ｂは、支持部７Ａよりも下方に位置している。このため、図６に示されるように、第２部分３Ｂの屈曲状態が許容される。屈曲状態の最大変化位置において、第２部分３Ｂの第１部分３Ａに遠い側（即ち、他端側Ｓ２）の一部分は、離間部７Ｂに接触している。このように、第２部分３Ｂは、基準状態（図２に示す）及び屈曲状態（図６示す）の双方において、下半身側フレーム枠７に安定して支持されうる。
【００５１】
図５に示されるように、上半身側寝台部４は、使用者の頭部側が載せられる第３部分４Ａと、使用者の背中が載せられる第４部分４Ｂとが含まれる。第３部分４Ａと第４部分４Ｂとは、一対のリンク６４、６４を介して傾動可能に連結されている。
【００５２】
第３部分４Ａは、下半身側寝台部３の第１部分３Ａや第２部分３Ｂと同様に、例えば、枠体５３ｃと、クッション材１５と、支持材（図示省略）とを含んで構成されている。クッション材１５は、枠体５３ｃに固着され、かつ、カバー材（図示省略）によって被覆されている。
【００５３】
本実施形態の枠体５３ｃは、一対の第１片６６、６６、第２片６７及び第３片６８を含んで構成されている。一対の第１片６６、６６は、ベッド幅方向Ｙの外側を、ベッド長手方向Ｘに沿ってそれぞれのびている。第２片６７は、一対の第１片６６、６６の一端側Ｓ１の端部間を、ベッド幅方向Ｙに沿ってのびている。第３片６８は、一対の第１片６６、６６の他端側Ｓ２の端部間を、ベッド幅方向Ｙに沿ってのびている。これにより、第３部分４Ａは、平面視横長矩形状に形成されている。
【００５４】
枠体５３ｃには、第２片６７と第３片６８との間をベッド長手方向Ｘにのびる一対の補強材６９、６９が設けられている。一対の補強材６９、６９は、ベッド幅方向Ｙにそれぞれ離間して設けられている。各補強材６９、６９の下面側には、後述する傾動アーム８２、８２のスライド部８２ｃ（図６に示す）をスライドさせるレール部７０（図６に示す）が設けられている。
【００５５】
図５に示されるように、第４部分４Ｂは、第３部分４Ａと同様に、例えば、枠体５３ｄと、クッション材１５と、支持材（図示省略）とを含んで構成されている。クッション材１５は、枠体５３ｄに固着され、かつ、カバー材（図示省略）によって被覆されている。枠体５３ｄは、第３部分４Ａの枠体５３ｃと同様に、一対の第１片７１、７１、第２片７２及び第３片７３を含んで構成されている。本実施形態の枠体５３ｄは、平面視矩形状に形成されている。第３片７３の下方には、一対の連結片６２、６２が設けられる。図２に示されるように、一対の連結片６２、６２には、ベッド幅方向Ｙにのびる第３水平軸ａ３が設けられる。
【００５６】
第４部分４Ｂの下半身側寝台部３側の端部は、ベッドフレーム枠６に、連結片６２の第３水平軸ａ３で、傾動可能に連結されている。これにより、ベッド側面視において、上半身側寝台部４は、その寝台面４Ｓが水平な基準状態（図２に示す）と、第３水平軸ａ３を支点として、上向きに傾くリクライニング状態（図６に示す）とで変形可能に連結されうる。
【００５７】
図７（ａ）、（ｂ）は、リンク６４の側面図である。一対のリンク６４、６４は、例えば、ベッド側面視において、ベッド下方側に凸となる円弧状に形成されている。各リンク６４の一端側Ｓ１の端部は、第３部分４Ａの第３片６８の垂下片６８ｓに、ベッド幅方向Ｙにのびる水平軸ｃ７で傾動可能に連結されている。各リンク６４の他端側Ｓ２の端部は、第４部分４Ｂの第２片７２の垂下片７２ｓに、ベッド幅方向Ｙにのびる水平軸ｃ８を支点として傾動可能に連結されている。
【００５８】
本実施形態の各リンク６４には、傾動阻止部６４ａが設けられている。傾動阻止部６４ａは、水平軸ｃ８を支点として一定角度傾動（上昇）した後に、第４部分４Ｂの第２片７２に当接する入隅状の切り欠きとして形成されている。傾動阻止部６４ａが第４部分４Ｂの第２片７２に当接した後は、第４部分４Ｂに対する第３部分４Ａの傾動が制限される。
【００５９】
図８（ａ）は、下半身側寝台部３の基準状態の駆動手段６３を拡大して示す側面図である。図８（ｂ）は、下半身側寝台部３の屈曲状態の駆動手段６３を拡大して示す側面図である。駆動手段６３は、下半身側寝台部３を、基準状態（図２に示す）又は屈曲状態（図６に示す）に変化させるためのものである。駆動手段６３は、アクチュエータ（以下、単に「第１アクチュエータ」ということがある。）７５を含んでいる。
【００６０】
第１アクチュエータ７５は、電動モータ７５ａと、電動モータ７５ａの駆動により伸縮可能なロッド７５ｂとが設けられている。本実施形態では、電動モータ７５ａが一端側Ｓ１に配置される一方、ロッド７５ｂが他端側Ｓ２に配置されている。第１アクチュエータ７５の操作は、例えば、リモコン等により、ベッド１上の使用者によって行われる。
【００６１】
電動モータ７５ａは、下半身側フレーム枠７の垂下部１４に、水平軸ｃ１で傾動可能に連結されている。ロッド７５ｂの他端側Ｓ２の端部は、下半身側寝台部３の第２部分３Ｂの垂下片６１、６１に、水平軸ｃ６で傾動可能に連結されている。従って、第１アクチュエータ７５は、その一端がベッドフレーム枠６に連結され、かつ、他端が下半身側寝台部３の第２部分３Ｂに連結されている。
【００６２】
図８（ａ）に示されるように、下半身側寝台部３の基準状態において、伸長した状態のロッド７５ｂが、第２部分３Ｂの一対の垂下片６１、６１に連結されている。これにより、電動モータ７５ａ及びロッド７５ｂは、ベッド側面視において、一端側Ｓ１から他端側Ｓ２に向かって、上方に傾斜している。
【００６３】
次に、本実施形態の駆動手段６３の作用について説明する。先ず、図８（ａ）に示した第１アクチュエータ７５の伸長したロッド７５ｂを、図８（ｂ）に示されるように収縮される。これにより、電動モータ７５ａ及びロッド７５ｂは、水平軸ｃ１を支点として、図において時計回りに傾動し、一端側Ｓ１から他端側Ｓ２に向かって、下方に傾斜する。
【００６４】
ロッド７５ｂの下方への傾動により、第２部分３Ｂの使用者の足先側（即ち、他端側Ｓ２）の端部３Ｂｔが、下方かつ第１部分３Ａ（図２に示す）側（即ち、一端側Ｓ１）に移動される。この第２部分３Ｂの移動により、図６に示されるように、第２部分３Ｂが第２水平軸ａ２を支点として、図において時計回りに傾動し、第２部分３Ｂの一端側Ｓ１の端部が、基準状態の寝台面３Ｓ（図２に示す）よりも上方に持ち上げられる。
【００６５】
第２部分３Ｂの一端側Ｓ１の端部の持ち上げにより、図６に示されるように、第１部分３Ａが、第１水平軸ａ１を支点として、図において反時計回り傾動する。これにより、下半身側寝台部３は、その寝台面３Ｓが水平な基準状態（図２に示す）から、第１部分３Ａと第２部分３Ｂとが上に凸で山折り状となる屈曲状態（図６に示す）に変形されうる。
【００６６】
屈曲状態において、第２部分３Ｂの一部（本実施形態では、使用者の足先側）は、基準状態の寝台面３Ｓ（図２に示す）よりも下方に位置される。これにより、下半身側寝台部３によって使用者の足が持ち上げられた場合でも、脹脛を従来よりも下方に位置させることができる。これにより、本発明のベッド１は、下半身側寝台部３の屈曲状態において、従来のベッドに比べて使用者の腹部等の圧迫を軽減することができる。特に、使用者の上半身が起き上がる上半身側寝台部４のリクライニング時には、使用者の腹部等の圧迫が効果的に軽減されうる。従って、ベッド１の使用者は、快適な使用感が得られうる。
【００６７】
図６に示されるように、ベッド１の使用者が快適な使用感を効果的に得るために、下半身側寝台部３の屈曲状態において、第１部分３Ａと第２部分３Ｂとの角度α１は、１４０度〜１６０度に設定されるのが望ましい。なお、角度α１が１６０度を超えると、第２部分３Ｂを、下半身側寝台部３の基準状態の寝台面３Ｓよりも、十分に下方に位置させることができないおそれがある。逆に、角度α１が１４０度未満であると、使用者の太腿と脹脛とが大きく折り曲げられ、快適な使用感を十分に得られなくなるおそれがある。
【００６８】
図８（ｂ）に示されるように、屈曲状態の最大変化位置において、第２部分３Ｂの第１部分３Ａに遠い側（即ち、他端側Ｓ２）の一部分は、下半身側フレーム枠７の離間部７Ｂに接触している。これにより、下半身側寝台部３は、屈曲状態においても、下半身側フレーム枠７に安定して支持されるため、振動等の発生を抑制することができる。さらに、離間部７Ｂによって、第２部分３Ｂの最大変化位置以上の屈曲が阻止される。これにより、第１部分３Ａと第２部分３Ｂとの角度α１が上記範囲に維持され、使用者に、快適な使用感を確実に与えることができる。
【００６９】
図８（ｂ）に示した下半身側寝台部３の屈曲状態において、第１アクチュエータ７５のロッド７５ｂが伸長されることにより、図８（ａ）に示されるように、第２部分３Ｂの使用者の足先側（即ち、他端側Ｓ２）の端部３Ｂｔが、上方かつ他端側Ｓ２に移動される。これにより、第１部分３Ａ及び第２部分３Ｂが逆方向に傾動し、屈曲状態（図６に示す）から基準状態（図２に示す）に変形されうる。
【００７０】
図６に示されるように、第２部分３Ｂの第１部分３Ａに遠い側（即ち、他端側Ｓ２）には、支持板１９が配置されている。図２に示されるように、ベッド側面視において、支持板１９の下片１９ａは、第４補強材１７の第１片１７ａの長手方向に対して直交している。即ち、図６に示されるように、支持板１９の下片１９ａは、屈曲状態の下半身側寝台部３の第２部分３Ｂの長手方向に対して直交している。さらに、図２に示されるように、支持板１９の上片１９ｂは、下片１９ａの上端からベッド高さ方向Ｚに沿って垂直にのびている。即ち、図２に示されるように、支持板１９の上片１９ｂは、基準状態の下半身側寝台部３の第２部分３Ｂの長手方向に対して直交している。このような支持板１９により、下半身側寝台部３の基準状態（図２に示す）及び屈曲状態（図６に示す）において、寝台部２のクッション材１５や布団等が、床面に落下するのを防ぐことができる。
【００７１】
本実施形態の駆動手段６３として、第１アクチュエータ７５である場合が例示されたが、これに限定されるわけではない。例えば、第１部分３Ａと第２部分３Ｂとの連結部８３に設けられた公知のラチエット式の固定具（図示省略）であってもよい。このような固定具は、第１アクチュエータ７５で構成される場合に比べて、より簡素な構成で、下半身側寝台部３を、基準状態（図２に示す）と屈曲状態（図６に示す）とに変形させることができるため、製造コストを低減することができる。
【００７２】
図９は、本実施形態のリクライニング手段７６の部分斜視図である。図１０（ａ）は、上半身側寝台部４の基準状態のリクライニング手段７６を拡大して示す側面図である。図１０（ｂ）は、上半身側寝台部４の屈曲状態のリクライニング手段７６を拡大して示す側面図である。リクライニング手段７６は、上半身側寝台部４を、基準状態（図２に示す）又はリクライニング状態（図６に示す）に変化させるためのものである。本実施形態のリクライニング手段７６は、アクチュエータ（以下、単に「第２アクチュエータ」ということがある。）７７と、傾動手段７８とを含んで構成されている。
【００７３】
第２アクチュエータ７７は、第１アクチュエータ７５と同様に、電動モータ７７ａと、ロッド７７ｂとが設けられている。本実施形態では、電動モータ７７ａが一端側に設けられる一方、ロッド７７ｂが他端側Ｓ２に配置されている。第２アクチュエータ７７の操作は、例えば、リモコン等により、ベッド１上の使用者によって行われる。
【００７４】
第２アクチュエータ７７の電動モータ７７ａは、上半身側フレーム枠８の第４補強材３４に、ベッド幅方向Ｙにのびる水平軸ｃ９を支点として、回動可能に連結されている。ロッド７７ｂの他端側Ｓ２の端部は、後述する傾動手段７８の第１レバー８０の上端に固定される。
【００７５】
傾動手段７８は、回動軸７９と、第１レバー８０、第２レバー８１、及び、一対の傾動アーム８２、８２を含んで構成されている。
【００７６】
図４及び図９に示されるように、回動軸７９は、上半身側フレーム枠８の第１補強材３１と、一対の第４補強材３４、３４との間において、一対の第２補強材３２、３２間をベッド幅方向Ｙに沿ってのびている。また、回動軸７９は、その軸芯に配置されるベッド幅方向Ｙにのびる水平軸ｃ１０を支点として、水平軸回りに回転可能に枢支される。この水平軸ｃ１０の両端は、上半身側フレーム枠８の各第２補強材３２、３２に固着されている。
【００７７】
図９及び図１０（ａ）に示されるように、第１レバー８０は、例えば、板状に形成された一対の第１レバー片８０ａ、８０ａを含んで構成されている。一対の第１レバー片８０ａ、８０ａの長手方向の中央部は、回動軸７９が軸支される水平軸ｃ１０を支点として、水平軸回りに回転可能に枢支される。これにより、第１レバー８０は、回動軸７９とは独立して、水平軸回りに回動しうる。
【００７８】
一対の第１レバー片８０ａ、８０ａの上端には、第２アクチュエータ７７のロッド７７ｂの端部が、ベッド幅方向Ｙにのびる水平軸ｄ１を支点として、回動可能に固定される。一対の第１レバー片８０ａ、８０ａの下端には、ベッド幅方向Ｙの外側に突出するピン８０ｄがそれぞれ設けられている。図１０（ａ）に示されるように、ピン８０ｄの一端側Ｓ１の側面は、一対の第２レバー片８１ａ、８１ａの他端側Ｓ２の側縁に当接する。
【００７９】
第２アクチュエータ７７のロッド７７ｂの収縮時（本実施形態では、上半身側寝台部４の基準状態）において、一対のレバー片８０ａ、８０ａは、水平軸ｄ１が設けられる上端側から、ピン８０ｄが設けられる下端側に向かって、他端側Ｓ２へ傾斜している。
【００８０】
第２レバー８１は、例えば、板状に形成された一対の第２レバー片８１ａ、８１ａと、一対の第２レバー片８１ａ、８１ａを連結するピン８１ｂとを含んで構成されている。
【００８１】
各第２レバー片８１ａ、８１ａは、例えば、側面視略矩形の板状に形成されている。各第２レバー片８１ａ、８１ａは、一対の第１レバー片８０ａ、８０ａのベッド幅方向Ｙの外側にそれぞれ配置されている。一対の第２レバー片８１ａ、８１ａの上端は、回動軸７９に固着される。これにより、一対の第２レバー片８１ａ、８１ａは、一対の第１レバー片８０ａ、８０ａとは異なり、回動軸７９と一体として、ベッド幅方向Ｙにのびる水平軸回りに回動しうる。
【００８２】
ピン８１ｂは、一対の第２レバー片８１ａ、８１ａの下端で、ベッド幅方向Ｙに沿ってのびている。図１０（ａ）に示されるように、ピン８１ｂの他端側Ｓ２の側面は、一対の第１レバー片８０ａ、８０ａの一端側Ｓ１の側縁に当接する。
【００８３】
図６に示されるように、一対の傾動アーム８２、８２は、基部８２ａと、突出部８２ｂと、スライド部８２ｃとを含んで構成されている。図２に示されるように、基部８２ａは、上半身側寝台部４の基準状態において、ベッド長手方向Ｘに沿ってのびている。本実施形態の一対の傾動アーム８２、８２の基部８２ａは、上半身側寝台部４の基準状態において、上半身側フレーム枠８の第４補強材３４に支持される。図１０に示されるように、基部８２ａの他端側Ｓ２は、回動軸７９に固定されている。これにより、各傾動アーム８２、８２は、回動軸７９の回動とともに、水平軸回りに回動されうる。
【００８４】
図２に示されるように、突出部８２ｂは、上半身側寝台部４の基準状態において、基部８２ａの一端側Ｓ１の端部から上方に向かって湾曲しながらのびている。このような突出部８２ｂ及び基部８２ａにより、各傾動アーム８２、８２は、側面視略Ｌ字状に形成される。
【００８５】
スライド部８２ｃは、突出部８２ｂの端部で、第３部分４Ａのレール部７０に沿ってのびている。このスライド部８２ｃは、第３部分４Ａのレール部７０に沿って摺動可能に挿入されている。
【００８６】
次に、リクライニング手段７６の作用について説明する。第２アクチュエータ７７のロッド７７ｂが、図１０（ａ）に示した収縮した状態から伸長されることにより、一対の第１レバー片８１ａ、８１ａが、水平軸ｃ１０を支点として、図において時計回りに回動される。一対の第１レバー片８１ａ、８１ａの回動により、図１０（ｂ）に示されるように、第１レバー８０のピン８０ｄ、及び、第２レバー８１のピン８１ｂを介して、一対の第２レバー片８１ａ、８１ａ、回動軸７９、及び、一対の傾動アーム８２、８２が、回動軸７９を中心に、図において時計回りに回動される。
【００８７】
一対の傾動アーム８２、８２の回動により、図７（ａ）、（ｂ）に示されるように、スライド部８２ｃがレール部７０を他端側Ｓ２に摺動しながら、第３部分４Ａが第４部分４Ｂに対して上方に持ち上げられる。第３部分４Ａの上昇により、リンク６４が、水平軸ｃ７及び水平軸ｃ８を支点として回動する。上述したように、リンク６４は、傾動阻止部６４ａが第４部分４Ｂの第２片７２に当接するまで、第４部分４Ｂが持ち上げられない。これにより、第３部分４Ａと第４部分４Ｂとの間に段差が形成され、使用者は、第３部分４Ａを枕のように使用することができる。
【００８８】
一対の傾動アーム８２、８２（図１０（ｂ）に示す）がさらに回動されることにより、リンク６４の傾動阻止部６４ａが第４部分４Ｂの第２片７２に当接する。そして、図６及び図１０（ｂ）に示されるように、一対の傾動アーム８２、８２が回動されることにより、第３水平軸ａ３を支点として、第４部分４Ｂが、第３部分４Ａと一体に、図において時計回りに傾動される。
【００８９】
このように、本実施形態のリクライニング手段７６は、上半身側寝台部４が上向きに傾けられることにより、使用者の上半身を起き上がらせることができる。しかも、上半身側寝台部４が上向きに傾けられてからも、第３部分４Ａと第４部分４Ｂとの段差が維持される。これにより、使用者は、テレビの視聴、読書など長時間使用しても肩コリなど疲労感を抑えつつ、リラックスした快適なリクライニング状態を得ることができる。
【００９０】
第３部分４Ａの枠体５３ｃの第４部分４Ｂの枠体５３ｄに対する角度α２については、適宜設定されうる。なお、角度α２が小さいと、第３部分４Ａと第４部分４Ｂとの段差を十分に形成できないおそれがある。逆に、角度α２が大きいと、第３部分４Ａと第４部分４Ｂとの段差が大きくなり、使用者に疲労感を生じさせてしまうおそれがある。このような観点より、角度α２は、好ましくは６度以上が望ましく、また、好ましくは１２度以下が望ましい。
【００９１】
図１０（ａ）、（ｂ）に示されるように、上半身側寝台部４のリクライニング状態から、第２アクチュエータ７７のロッド７７ｂが収縮されることにより、一対の傾動アーム８２、８２が、回動軸７９、第１レバー８０及び第２レバー８１を介して、図において反時計回りに傾動される。この一対の傾動アーム８２、８２の傾動により、第３部分４Ａと第４部分４Ｂとの段差が維持されたまま、第３部分４Ａ及び第４部分４Ｂが一体として、第３水平軸ａ３を支点として、図において反時計回りに傾動する。これにより、図７（ｂ）に示されるように、第３部分４Ａと第４部分４Ｂとの段差が維持されたまま、第４部分４Ｂの寝台面４Ｓが水平に変形される。
【００９２】
第４部分４Ｂの寝台面４Ｓが水平となり、かつ、リンク６４の傾動阻止部６４ａと第４部分４Ｂの第２片７２との当接が解除されてからは、一対の傾動アーム８２、８２（図１０（ｂ）に示す）の反時計回りの傾動により、第３部分４Ａが下ろされる。これにより、図２及び図７（ａ）に示されるように、第３部分４Ａと第４部分４Ｂとの段差が解消され、上半身側寝台部４が基準状態に変形される。
【００９３】
上半身側寝台部４の基準状態において、一対の傾動アーム８２、８２は、上半身側フレーム枠８の第４補強材３４に支持される。これにより、上半身側寝台部４は、上半身側フレーム枠８に安定して支持されるため、使用者の就寝中に振動等が発生するのを抑制しうる。
【００９４】
図１１は、第２アクチュエータ７７のロッド７７ｂの収縮時に、傾動アーム８２の回動が許容された状態を示す側面図である。上述したように、第１レバー８０のピン８０ｄの一端側Ｓ１の側面は、第２レバー８１の第２レバー片８１ａ、８１ａの他端側Ｓ２の側縁が当接している。さらに、第２レバー８１のピン８１ｂの他端側Ｓ２の側面は、一対の第１レバー片８０ａ、８０ａの一端側Ｓ１の側縁に当接している。また、第１レバー８０は、回動軸７９とは独立して水平軸回りに回動しうる。このため、図において、第１レバー８０に対して、第２レバー８１、回動軸７９及び一対の傾動アーム８２、８２の時計回りの回動が許容され、上半身側寝台部４の第４部分４Ｂが時計回りに傾動されうる。これにより、例えば、上半身側寝台部４のリクライニング状態（図１０（ｂ）に示す）から基準状態（図１０（ａ）に示す）への変形時に、上半身側フレーム枠８と上半身側寝台部４との間の異物が配置されても、第２アクチュエータ７７の収縮によって、異物が強く挟まれるのを防ぐことができる。
【００９５】
本実施形態では、図６に示されるように、駆動手段６３による下半身側寝台部３の屈曲状態と、リクライニング手段７６による上半身側寝台部４のリクライニング状態とが、同時に行われている。これにより、使用者は、ソファに座っているかのようなリラックスした状態を得ることができる。なお、下半身側寝台部３の屈曲状態、又は、上半身側寝台部４のリクライニング状態のいずれか一方のみが独立して行われてもよい。
【００９６】
以上、本発明の特に好ましい実施形態について詳述したが、本発明は図示の実施形態に限定されることなく、種々の態様に変形して実施しうる。
【符号の説明】
【００９７】
１      折畳みベッド
２      寝台部
３      下半身側寝台部
３Ａ    第１部分
３Ｂ    第２部分
４      上半身側寝台部
【図１】
0006543035.tif 000002
【図２】
0006543035.tif 000003
【図３】
0006543035.tif 000004
【図４】
0006543035.tif 000005
【図５】
0006543035.tif 000006
【図６】
0006543035.tif 000007
【図７】
0006543035.tif 000008
【図８】
0006543035.tif 000009
【図９】
0006543035.tif 000010
【図１０】
0006543035.tif 000011
【図１１】
0006543035.tif 000012